(57)【要約】【課題】視認性や見栄え品質、デザイン自由度の優れた表示装置を提供する。【解決手段】所定情報を表示する液晶表示装置（第１の表示手段）１と、指示部材２７によって所定の計測値を表示する指示計器（第２の表示手段）２とを有し、指示計器２が指示部材２７を移動させるリングギヤ２４と、このリングギヤ２４を移動させる駆動源２５と、指示部材２７に対応した指標部２９１が形成されてなる第２のケース（表示部材）２９とを備えてなる車両用表示装置において、第２のケース２９が指標部２９１に沿った表示窓２９２を有し、指示部材２７が表示窓２９２を通じて視認される表示部２７１によって指標部２９１を範囲表示する帯状部材２７からなる。【選択図】  図２
2010169654.tif 000002
【特許請求の範囲】
【請求項１】
電気信号に応じて所定情報を表示する第１の表示手段と、
この第１の表示手段の外周を移動する指示部材によって所定の計測値を表示する第２の表示手段とを有し、
前記第２の表示手段が前記第１の表示手段を視認可能に配置され前記指示部材を移動させるリングギヤと、このリングギヤを移動させる駆動源と、前記リングギヤの前方側であって前記第１の表示手段を視認可能に配置され前記指示部材に対応した指標部が形成されてなる表示部材とを備えてなる車両用表示装置において、
前記表示部材が前記指標部に沿った表示窓を有し、
前記指示部材が表示部材の背後に配置され前記表示窓を通じて視認される表示部によって前記指標部を範囲表示する帯状部材からなることを特徴とする車両用表示装置。
【請求項２】
前記表示部材の背後に前記表示部材と前記帯状部材とを照明する導光部材を設けたことを特徴とする請求項１記載の車両用表示装置。
【請求項３】
前記表示窓に少なくとも観察者側に凸面を有するレンズ部材を配置したことを特徴とする請求項１記載の表示装置。
【請求項４】
前記リングギヤに前記帯状部材を一体形成したことを特徴とする請求項１記載の表示装置。
【発明の詳細な説明】
【技術分野】
【０００１】
本発明は、例えば車両用計器として使用するのに好適な車両用表示装置に関し、特に電気信号に応じて所定情報を表示する第１の表示手段と、この表示装置の外周を移動する指示部材によって所定の計測値を表示する第２の表示手段とを備えた車両用表示装置に関するものである。
【背景技術】
【０００２】
この種の車両用表示装置として例えば下記特許文献１に記載されているものが知られている。この車両用表示装置は、電気信号に応じて所定情報（例えば車両経路案内情報や外気温、燃費、走行距離等の車両情報）を表示する液晶表示装置（第１の表示手段）と、この液晶表示装置の外周を移動する指針（指示部材）によって所定の計測値（例えば走行速度）を表示する指示計器（第２の表示手段）とを備え、指示計器は、液晶表示装置を視認可能に配置され、指針を移動させるリングギヤと、このリングギヤを移動させるステッピングモータ等の駆動源と、リングギヤの前方側であって液晶表示装置を視認可能に配置され、指針に対応した目盛、数字等の指標部が形成されてなる表示板（表示部材）とを備えてなるものである。
【先行技術文献】
【特許文献】
【０００３】
【特許文献１】特開２０００−１３１０９９号公報
【発明の開示】
【発明が解決しようとする課題】
【０００４】
しかしながら、前記特許文献１に記載の車両用表示装置は、液晶表示装置のサイズが大型化すると、その外周に位置する指示計器に与えられるスペース（幅寸法）が小さくなり、それに伴って指針の長さも短くせざるを得なくなるため、視認性の点で改良の余地があった。特に近年、液晶表示装置であるセンターディスプレイには、大量の情報を高精細にて表示することが求められ、それに伴いセンターディスプレイが大型化する流れにあるが、車両用表示装置の搭載スペースには限りがあるため、指示計器の幅寸法が圧縮される傾向がある。
【０００５】
本発明は前述の課題に着目し、視認性の優れた車両用表示装置を提供することを目的とするものである。
【課題を解決するための手段】
【０００６】
本発明は、前述した課題を解決するため、電気信号に応じて所定情報を表示する第１の表示手段と、この第１の表示手段の外周を移動する指示部材によって所定の計測値を表示する第２の表示手段とを有し、前記第２の表示手段が前記第１の表示手段を視認可能に配置され前記指示部材を移動させるリングギヤと、このリングギヤを移動させる駆動源と、前記リングギヤの前方側であって前記第１の表示手段を視認可能に配置され前記指示部材に対応した指標部が形成されてなる表示部材とを備えてなる車両用表示装置において、前記表示部材が前記指標部に沿った表示窓を有し、前記指示部材が表示部材の背後に配置され前記表示窓を通じて視認される表示部によって前記指標部を範囲表示する帯状部材からなることを特徴とする。
これによれば、指示部材が帯状部材からなり、表示窓を通じて視認される表示部によって指標部が範囲表示されるため、指針によるピンポイント的指示と比較して、視認性を向上させることができる。
【０００７】
また本発明は、前記表示部材の背後に前記表示部材と前記帯状部材とを照明する導光部材を設けたことを特徴とする。
これによれば、一つの導光部材で表示部材と帯状部材とを照明することができ、コストダウンを達成できる。
【０００８】
また本発明は、前記表示窓に少なくとも観察者側に凸面を有するレンズ部材を配置したことを特徴とする。
これによれば、表示に立体感を与え、斬新な見栄えを可能とすることができる。
【発明の効果】
【０００９】
本発明によれば、初期の目的を達成することができ、視認性の優れた車両用表示装置を提供することができる。
【図面の簡単な説明】
【００１０】
【図１】本発明の第１の実施形態による車両用表示装置の斜視図。
【図２】同実施形態による車両用表示装置の正面図。
【図３】同実施形態による車両用表示装置の分解斜視図。
【図４】図１のＡ−Ａ断面図（ハッチング省略）。
【図５】本発明の第２の実施形態によるリングギヤを示す斜視図。
【図６】図６のＢ−Ｂ断面図（ハッチング省略）。
【発明を実施するための形態】
【００１１】
以下、本発明の実施の形態について添付図面を用いて説明する。
【００１２】
（第１の実施形態）
図１〜図４において、本実施形態による車両用表示装置は、例えば自動車用のコンビネーションメータとして使用されるもので、液晶表示装置（第１の表示手段）１と、この液晶表示装置１の外周に配置される指示計器（第２の表示手段）２とを有している。
【００１３】
なお図１、図３では指標部の図示を省略している。
【００１４】
液晶表示装置１は、所定情報として、例えば車両経路案内情報や外気温、燃費、走行距離等の車両情報を表示するもので、図示しないドットマトリックス型の液晶パネルやケース、導光体等の光学部材、バックライト、光源、回路基板等を有しており、指示計器２の中央空洞部に対応した円筒状の外形形状を有している。
【００１５】
指示計器２は、全体が液晶表示装置１を収容可能な中央空洞部Ｓ（図４参照）を備えるドーナツ形に形成され、第１のケース（表示部材）２１と、回路基板２２と、ベース板２３と、リングギヤ２４と、駆動源２５と、ホルダー２６と、帯状部材（指示部材）２７と、導光部材２８と、第２のケース２９とで構成されている。なおこれら第１のケース２１〜第２のケース２９は、駆動源２５を除く全ての部品が中央空洞部Ｓの一部を構成すべく、環状形状を備えている。
【００１６】
第１のケース２１は、例えば合成樹脂からなり、環状の底部２１１（図４参照）と、各々が環状で所定間隔を空けて対向する外周壁２１２と内周壁２１３とを備えており、外周壁２１２と内周壁２１３とで形成される空間部に回路基板２２を収納する。
【００１７】
回路基板２２は、例えば周知の硬質回路基板からなり、駆動源２５が電気接続される他、導光部材２８を照明する例えば発光ダイオードからなる光源（図示しない）が実装されている。
【００１８】
ベース板２３は、例えば金属材料からなり、第１のケース２１の外周壁２１２の開口端部に配置される。このベース板２３には、駆動源２５が装着される他、リングギヤ２４を回転移動可能に支持する複数のテンションローラ（図示しない）が向けられている。
【００１９】
リングギヤ２４は、例えば合成樹脂からなり、その内周に複数の連続歯が当ピッチで形成されている。
【００２０】
駆動源２５は、例えばステッピングモータからなり、ピニオンギヤ２５１を介してリングギヤ２４の連続歯と連結される。
【００２１】
ホルダー２６は、例えば合成樹脂からなり、リングギヤ２４と共に同体的に回転移動すべく設けられている。このホルダー２６には、図４に示すように第１の段部２６１と第２の段部２６２とが形成されており、第１の段部２６１がリングギヤ２４に固定され、第２の段部２６２には帯状部材２７が固定配置されている。
【００２２】
帯状部材２７は、例えば透光性の合成樹脂によりチューブ状のリングとして形成され、少なくとも第１の色（例えば赤色）からなる第１の表示部２７１と、境界部２７２を挟んで第１の表示部２７１に隣接（連続）する第２の色（例えば無色透明）からなる第２の表示部２７３とが適宜手段により形成されている。なおこの帯状部材２７は、平板状またはフィルム状であってもよい。さらに帯状部材２７は細長く延びる形状であれば、閉じられたリング状ではなく、一部が破断するリング状または円弧状であってもよい。
【００２３】
導光部材２８は、例えば透光性を有する合成樹脂からなり、帯状部材２７と第２のケース２８との間に位置し、静止部材として、帯状部材２７、ホルダー２６、リングギヤ２４からなる可動部品とは別に組み付けられる。この導光部材２８は、第２のケース２８の背面に沿って重ね合わされており、帯状部材２８に対向する端部２８１と、回路基板２２に向けて導光部材２８の板面方向とは交差する方向に延びる光導入部（図示しない）とが形成され、この光導入部を通じて前記発光ダイオードの光を導光し、第２のケース２８を背後から透過照明すると共に端部２８１からの照射光で帯状部材２７を照明する。なお導光部材２８に光を入射させる光源は前記発光ダイオードに換えてＥＬパネルを用いてもよい。
【００２４】
第２のケース２９は、例えば透光性を有する合成樹脂に塗装により光透過性の目盛や文字等の指標部２９１を形成するか、あるいは印刷により指標部２９１を形成した別部材からなる表示板を合成樹脂部材に装着してなる。この第２のケース２９には、指標部２９１に沿った形状であって帯状部材２７を視認可能な表示窓２９２が形成され、この表示窓２９２には、観察者側に凸面を有するレンズ部材２９３が装着されている。
【００２５】
このように構成される車両用表示装置において、駆動源２５が回転すると、その回転がピニオンギヤ２５１を介してリングギヤ２４に伝達されて、ホルダー２６が回転移動し、この回転移動に伴って帯状部材２７の表示部２７１も移動し、表示部２７１の移動を表示窓２９２及びレンズ部材２９３を通して見ると、表示部２７１の長さが変化して観察者に視認され、表示窓２９２を通じて視認される表示部２７１によって指標部２９１を範囲表示する。
【００２６】
例えば図２に示す状態において、帯状部材２７の境界部２７２は、「６０」なる数字と「８０」なる数字のちょうど中間位置である「７０」にあり、この境界部２７２から減少指示方向に連なる第１の表示部２７１によって、現在の指示値「７０」であることを範囲表示するものである。
【００２７】
この際、帯状部材２７は、レンズ部材２９３を通して視認されるため、範囲表示が立体的に視認される。
【００２８】
以上のように本実施形態では、電気信号に応じて所定情報を表示する液晶表示装置（第１の表示手段）１と、この液晶表示装置１の外周を移動する指示部材２７によって所定の計測値を表示する指示計器（第２の表示手段）２とを有し、指示計器２が液晶表示装置１を視認可能に配置され指示部材２７を移動させるリングギヤ２４と、このリングギヤ２４を移動させる駆動源２５と、リングギヤ２４の前方側であって液晶表示装置１を視認可能に配置され指示部材２７に対応した指標部２９１が形成されてなる第２のケース（表示部材）２９とを備えてなる車両用表示装置において、第２のケース２９が指標部２９１に沿った表示窓２９２を有し、指示部材２７が第２のケース２９の背後に配置され表示窓２９２を通じて視認される表示部２７１，２７３の範囲によって指標部２９１を指示する帯状部材２７からなることにより、表示窓２９２を通じて視認される表示部２７１，２７３の範囲によって指標部２９１が指示されるため、指針によるピンポイント的指示と比較して、視認性を向上させることができる。
【００２９】
また本実施形態では、第２のケース２９と帯状部材２７との間に第２のケース２９を背後から、帯状部材２７を前方からそれぞれ照明する導光部材２８を設けたことにより、一つの導光部材２８で第２のケース２９の指標部２９１と帯状部材２７とを照明することができ、コストダウンを達成できる。
【００３０】
また本実施形態では、表示窓２９２に少なくとも観察者側に凸面を有するレンズ部材２９３を配置したことにより、帯状表示に立体感を与え、斬新な見栄えを提供することができる。
【００３１】
なお前記実施形態では、ホルダー２６を採用し、このホルダー２６に帯状部材２７を装着したが、ホルダー２６を廃止し、リングギヤ２４に帯状部材２７を設けてもよい。
（第２の実施形態）
【００３２】
本発明の第２の実施形態による車両用表示装置は、前記第１の実施形態にて採用したホルダー２６を廃止し、更にリングギヤ２４に帯状部材２７を一体形成したものである。
【００３３】
本実施形態によるリングギヤ４は、図５、図６に示すように、例えば透光性を有する合成樹脂からなり、その底面には、例えば赤色と白色の２色に色分けされた箔からなる帯状部材２７が設けられている。この箔からなる帯状部材２７は、リングギヤ４の射出成形の際に一体成形されるものである。
【００３４】
なおリングギヤ２４に帯状部材２７を一体形成するに際しては、帯状部材２７を箔成形する他にホットスタンプによる方法や帯状部材２７を所定色を有する合成樹脂としてリングギヤ２４を構成する透光性合成樹脂と金型内で多色成形する方法を用いてもよい。
【００３５】
以上のように、本実施形態では、ホルダー２６を廃止し、更にリングギヤ２４に帯状部材２７を一体形成したことにより、部品点数を削減し、コストダウンを達成することができる。
【符号の説明】
【００３６】
１  液晶表示装置（第１の表示手段）
２  指示計器（第２の表示手段）
２１  第１のケース（表示部材）
２２  回路基板
２３  ベース板
２４  リングギヤ
２５  駆動源
２６  ホルダー
２７  帯状部材（指示部材）
２８  導光部材
２９  第２のケース（表示部材）
２１１  底部
２１２  外周壁
２１３  内周壁
２５１  ピニオンギヤ
２６１  第１の段部
２６２  第２の段部
２７１  第１の表示部
２７２  境界部
２７３  第２の表示部
２８１  端部
２９１  指標部
２９２  表示窓
２９３  レンズ部材
Ｓ  中央空洞部
【図１】
2010169654.tif 000003
【図２】
2010169654.tif 000004
【図３】
2010169654.tif 000005
【図４】
2010169654.tif 000006
【図５】
2010169654.tif 000007
【図６】
2010169654.tif 000008